(57)【要約】表板と裏板２０５ｃと側板２０５ｂとで形成され内部空間を有する第１の筐体２０５と、上記内部空間の、側板２０５ｂの一部に隣接した位置に形成され、側板２０５ｂに隣接した部分が、表板と裏板２０５ｃとを結ぶ方向について一方側で側板２０５ｂに近接し他方側で側板２０５ｂから離れる円弧状の板壁を有する電源収納部２０７と、板壁２０７ａに沿う円弧状の外壁面２０６ａを有し、電源収納部２０７に収納される電源ブロック２０６と、側板２０５ｂと板壁２０７ａとに挟まれた空間に配置された無線通信用のアンテナ１７２と、電源収納部２０７に収納された電源ブロック２０６から供給される電力により動作する電子回路が搭載され、上記の内部空間に配置された回路基板とを備えた。
2008139547.tif 000002
【特許請求の範囲】
【請求項１】
表板と裏板と側板とで形成され内部空間を有する筐体と、
前記内部空間の、前記側板の一部に隣接した位置に形成され、前記側板に隣接した部分が、前記表板と前記裏板とを結ぶ方向について一方側で前記側板に近接し他方側で該側板から離れる形状の板壁を有する電源収納部と、
前記板壁に沿う形状の外壁面を有し、前記電源収納部に収納される電源ブロックと、
前記側板と前記板壁とに挟まれた空間に配置されたアンテナと、
前記電源収納部に収納された前記電源ブロックから供給される電力により動作する電子回路が搭載され、前記内部空間に配置された回路基板とを備えたことを特徴とする電子機器。
【請求項２】
前記側板と前記板壁とに挟まれた空間に配置されたことにより該側板と該板壁とに前後を挟まれた前記アンテナを左右から挟む２枚の仕切り壁を備えたことを特徴とする請求項１記載の電子機器。
【請求項３】
前記電源ブロックは、内部にバッテリを収容し該バッテリの外形に沿うことにより前記板壁に沿う形状の外壁面が形成されたものであることを特徴とする請求項１又は２記載の電子機器。
【請求項４】
前記バッテリの外形は円柱状であり、前記外壁面は該バッテリの円柱形状に沿う円弧状であり、前記板壁は外壁面の形状に沿う円弧状であることを特徴とする請求項３記載の電子機器。
【請求項５】
前記電源収納部は、前記円弧状の板壁につづく前記裏板と平行な底部を有し、
前記アンテナは、
前記表板と前記裏板とを結ぶ方向に延在し前記板壁の円弧の半径長より短い長さの平板状の第１の部分と、
前記第１の部分の一端部から該第１の部分と垂直となる方向に延在し、該アンテナを前記空間に配置したときに該底部に位置する平板状の第２の部分と、
前記第１の部分の他端部から該第１の部分と垂直且つ前記第２の部分と反対方向に延在する第３の部分と、を有することを特徴とする請求項４記載の電子機器。
【請求項６】
前記筐体にヒンジ接続され該筐体に対して開閉自在な第２の筐体をさらに具備することを特徴とする請求項１から５のうちいずれか１項記載の電子機器。
【請求項７】
前記第２の筐体は、プログラムを実行する処理回路による処理結果を表示する表示装置であることを特徴とする請求項６記載の電子機器。
【請求項８】
内部空間を有する筐体と、
板壁により前記内部空間に区画され、電源ブロックを収納する電源収納部と、
前記筐体と前記電源収納部の板壁とに挟まれた空間に配置されたアンテナと、
前記電源収納部に収納された前記電源ブロックから供給される電力により動作する電子回路が搭載され、前記電源収納部且つ前記筐体と前記電源収納部の板壁とに挟まれた空間とを避けた前記内部空間の位置に配置された回路基板とを備えたことを特徴とする電子機器。
【請求項９】
前記電源ブロックはバッテリパックであることを特徴とする請求項８記載の電子機器。
【請求項１０】
前記バッテリパックは、直方体形であると共に、その一辺に離間した少なくとも２つの係止片を有し、
前記電源収納部は、前記バッテリパックの各係止片にそれぞれ対応し該係止片を受ける少なくとも２つの受け部を有し、
前記アンテナは、前記筐体と前記電源収納部の板壁とに挟まれ且つ前記受け部間の空間に配置された、ことを特徴とする請求項９記載の電子機器。
【請求項１１】
前記筐体と前記板壁とに挟まれた空間に配置されたことにより該筐体と該板壁とに前後を挟まれた前記アンテナを左右から挟む２枚の仕切り壁を備えたことを特徴とする請求項８から１０のうちいずれか１項記載の電子機器。
【請求項１２】
前記筐体にヒンジ接続され該筐体に対して開閉自在な第２の筐体をさらに具備することを特徴とする請求項８から１１のうちいずれか１項記載の電子機器。
【請求項１３】
前記第２の筐体は、プログラムを実行する処理回路による処理結果を表示する表示装置であることを特徴とする請求項１２記載の電子機器。
【発明の詳細な説明】
【技術分野】
【０００１】
本発明は、外部機器と無線通信を行う機能を有し、その無線通信を利用した動作を行う電子機器に関する。
【背景技術】
【０００２】
従来、オフィス等といった局所的なエリアにおいて、複数台のコンピュータをＩＥＥＥ８０２．１１規格等に準拠した無線通信によって互いに接続することで構築される無線ＬＡＮ（Ｌｏｃａｌ  Ａｒｅａ  Ｎｅｔｗｏｒｋ）が知られている。この無線ＬＡＮによれば、例えば、近年普及が著しいノート型のパーソナルコンピュータ（ノートＰＣ）の最大の利点であるモバイル性を生かしたネットワークの構築が可能となる。ノートＰＣでこのような無線ＬＡＮを利用するためには、無線通信用のアンテナや、ＩＥＥＥ８０２．１１規格等に準拠した通信処理を実行する通信モジュールからなる無線システムが必要であり、近年では、このような無線システムを内蔵した無線ＬＡＮ内蔵型のノートＰＣ（例えば、特許文献１〜４参照。）が市場に出回るようになっている。
【特許文献１】特開２０００−３４１０１８号公報
【特許文献２】特開２００２−２０７５３５号公報
【特許文献３】特開２００４−０１５２４６号公報
【特許文献４】特開２００６−０５２４７１号公報
【０００３】
ところで、無線通信によるネットワークには、上記の無線ＬＡＮ以外にも、例えば携帯電話機とノートＰＣとの無線通信による相互接続等といった、無線ＬＡＮよりも狭いエリア内でのネットワークである無線ＰＡＮ（Ｐｅｒｓｏｎａｌ  Ａｒｅａ  Ｎｅｔｗｏｒｋ）もある。近年では、このような無線ＰＡＮにおける通信規格の一例であるＢｌｕｅｔｏｏｔｈ（登録商標）に対応した無線システムを、無線ＬＡＮ用の無線システムと共に内蔵した無線ＬＡＮ及び無線ＰＡＮ内蔵型のノートＰＣも登場してきている。さらに、ノートＰＣの分野では、無線ＬＡＮよりも広いエリア内でのネットワークである無線ＷＡＮ（Ｗｉｄｅ  Ａｒｅａ  Ｎｅｔｗｏｒｋ）に対応した無線システムや、地上デジタル放送の簡易版として注目されているいわゆるワンセグ放送を受信するための無線システムを内蔵させようという動きもあり、ノートＰＣに内蔵される無線システムの数は増加する傾向にある。【０００４】
無線システムには無線通信用のアンテナが不可欠であるが、従来に比べてアンテナの小型化が進んでいるとはいえその収納にはそれなりの収納スペースを要し、ノートＰＣに無線システムを内蔵するに当たってはアンテナの収納スペースの確保が問題となる。一方で、近年のノートＰＣに内蔵される無線システムの数の増加は、アンテナの内蔵数の増加をもたらしている。また、ノートＰＣ内にアンテナを不用意に配置すると、そのアンテナで送受信される電波が内部回路に対して電磁的に干渉する虞もあり、アンテナの内蔵数の増加と相俟ってそれらのアンテナの収納スペースの確保を困難なものとしている。【０００５】
ノートＰＣにアンテナについての専用の収納スペースを新たに設けることは、電磁的な干渉を回避してアンテナを適切に収納するための１つの方法ではあるが、この方法では、ノートＰＣが大型化されてモバイル性が損なわれてしまう。【０００６】
尚、ここまでノートＰＣを例に挙げて、アンテナの収納スペースの確保の困難性という問題について説明したが、この問題は、ノートＰＣに限らず、例えばＰＤＡ（Ｐｅｒｓｏｎａ１  Ｄｉｇｉｔａｌ  Ａｓｓｉｓｔａｎｔ；携帯情報端末）であって無線システムが内蔵されたもの等、一般にこの要件を満たす電子機器に共通に生ずる問題である。【０００７】
本発明は、上記事情に鑑み、アンテナが適切に収納された電子機器を提供することを目的とする。
【発明の開示】
【０００８】
上記目的を達成する本発明の電子機器は、
表板と裏板と側板とで形成され内部空間を有する筐体と、
上記内部空間の、上記側板の一部に隣接した位置に形成され、上記側板に隣接した部分が、上記表板と上記裏板とを結ぶ方向について一方側で上記側板に近接し他方側でその側板から離れる形状の板壁を有する電源収納部と、
上記板壁に沿う形状の外壁面を有し、上記電源収納部に収納される電源ブロックと、
上記側板と上記板壁とに挟まれた空間に配置されたアンテナと、
上記電源収納部に収納された上記電源ブロックから供給される電力により動作する電子回路が搭載され、上記内部空間に配置された回路基板とを備えたことを特徴とする。
【０００９】
本発明の電子機器では、上記筐体の側板と上記電源収納部の板壁とに挟まれた空間にアンテナの収納スペースが確保されている。この空間には、上記電源収納部の板壁の形状に由来する余剰空間がある。本発明によれば、この余剰空間を有する広めの空間がアンテナの収納スペースとして利用されるので、アンテナの収納スペースを例えば上記筐体を大型化して創出する必要等がなく、電子機器の大型化を抑えてアンテナを収納することができる。また、本発明の電子機器では、アンテナは、上記筐体の最外壁をなす上記側板と上記電源収納部の板壁との隙間に配置されている。つまり、このアンテナは、電磁干渉を受け易い上記回路基板とは離され、電磁干渉を受け難い電源ブロックの近傍に配置される。これにより、このアンテナで送受信される電波による、上記回路基板への電磁干渉が抑制される。このように、本発明によれば、電子機器の大型化や電磁干渉を抑えてアンテナを適切に収納することができる。
【００１０】
ここで、本発明の電子機器において、「上記側板と上記板壁とに挟まれた空間に配置されたことによりその側板とその板壁とに前後を挟まれた上記アンテナを左右から挟む２枚の仕切り壁を備えた」という形態は好ましい形態である。
【００１１】
この好ましい形態の電子機器によれば、例えば上記筐体に外部から物理的な衝撃が加わったとしても、上記２枚の仕切り壁によって、その衝撃の上記アンテナの周辺部への波及が抑制されるので、その衝撃による上記アンテナの破損等が効果的に抑えられる。
【００１２】
また、本発明の電子機器において、「上記電源ブロックは、内部にバッテリを収容しそのバッテリの外形に沿うことにより上記板壁に沿う形状の外壁面が形成されたものである」という形態は典型的な形態である。なお、このバッテリはその外形が円柱状であり、上記外壁面はそのバッテリの円柱形状に沿う円弧状であり、上記板壁は外壁の形状に沿う円弧状であってもよい。
【００１３】
この典型的な形態の電子機器では、上記アンテナの収納スペースとして利用される余剰空間は、上記バッテリの形状に由来したものとなる。
【００１４】
また、本発明の電子機器において、「上記電源収納部は、このような円弧状の板壁につづく上記裏板と平行な底部を有し、上記アンテナは、上記表板と上記裏板とを結ぶ方向に延在し前記板壁の円弧の半径長より短い長さの平板状の第１の部分と、上記第１の平板部の一端部からその第１の平板部と垂直となる方向に延在し、アンテナを上記空間に配置したときにその底部に位置する平板状の第２の部分と、上記第１の部分の他端部からその第１の部分と垂直且つ上記第２の部分と反対方向に延在する第３の部分と、を有する」という形態は好ましい形態である。
【００１５】
この好ましい形態の電子機器によれば、アンテナにおける第３の部分につづく第１の部分の端部を電源収納部の板壁上に配置することができ、電子機器の大型化を抑えてアンテナを収納することができる。
【００１６】
また、本発明の電子機器は、「上記筐体にヒンジ接続されその筐体に対して開閉自在な第２の筐体をさらに具備する」という形態であっても良く、さらに、
この形態の電子機器が、「上記第２の筐体は、プログラムを実行する処理回路による処理結果を表示する表示装置である」という形態であっても良い。
【００１７】
これらの形態は、表示装置としての開閉自在な筐体を備えた、例えばノートＰＣに代表されるモバイル性が重視される電子機器に対応している。つまり、本発明によれば、このようなモバイル性が重視される電子機器について、電子機器の大型化や電磁干渉を抑えてアンテナを適切に収納することができる。
【００１８】
また、上記目的を達成する他の本発明の電子機器は、
内部空間を有する筐体と、
板壁により上記内部空間に区画され、電源ブロックを収納する電源収納部と、
上記筐体と上記電源収納部の板壁とに挟まれた空間に配置されたアンテナと、
上記電源収納部に収納された上記電源ブロックから供給される電力により動作する電子回路が搭載され、上記電源収納部且つ上記筐体と上記電源収納部の板壁とに挟まれた空間とを避けた上記内部空間の位置に配置された回路基板とを備えたことを特徴とする。
【００１９】
本発明の電子機器では、上記筐体と上記電源収納部の板壁とに挟まれた空間をアンテナの収納スペースとして利用しているので、アンテナの収納スペースを例えば上記筐体を大型化して創出する必要等がなく、電子機器の大型化を抑えてアンテナを収納することができる。また、本発明の電子機器では、アンテナは、電磁干渉を受け易い上記回路基板とは離され、且つ上記筐体と上記電源収納部の板壁との隙間である電磁干渉を受け難い電源ブロックの近傍に配置される。これにより、このアンテナで送受信される電波による上記回路基板への電磁干渉が抑制され、また、アンテナは上記回路基板の動作により発生する電磁波の影響をほとんど受けることがなくなる。このように、本発明によれば、電子機器の大型化や電磁干渉を抑えてアンテナを適切に収納することができる。
【００２０】
ここで、本発明の電子機器において、「上記電源ブロックはバッテリパックであること」という形態は好ましい形態である。
【００２１】
この好ましい形態の電子機器によれば、バッテリパック内に収納されているバッテリは上記回路基板上の電子回路に電源供給する際に電磁波を発生しないため、アンテナで送受信される電波に影響を及ぼすことがない。
【００２２】
また、本発明の電子機器において、「上記バッテリパックは、直方体形であると共に、その一辺に離間した少なくとも２つの係止片を有し、上記電源収納部は、上記バッテリパックの各係止片にそれぞれ対応し該係止片を受ける少なくとも２つの受け部を有し、上記アンテナは、上記筐体と上記電源収納部の板壁とに挟まれ且つ上記受け部間の空間に配置されている」という形態は好ましい形態である。
【００２３】
このような好ましい形態の電子機器によれば、上記バッテリパックの離脱を防止するために上記バッテリパックの係止片に対応して上記電源収納部に設けられている受け部間に形成される余剰空間を利用し、電子機器を大型化等することなく、アンテナを収納することができる。
【００２４】
ここで、本発明の電子機器において、「上記側板と上記板壁とに挟まれた空間に配置されたことによりその側板とその板壁とに前後を挟まれた上記アンテナを左右から挟む２枚の仕切り壁を備えた」という形態は好ましい形態である。
【００２５】
この好ましい形態の電子機器によれば、例えば上記筐体に外部から物理的な衝撃が加わったとしても、上記２枚の仕切り壁によって、その衝撃の上記アンテナの周辺部への波及が抑制されるので、その衝撃による上記アンテナの破損等が効果的に抑えられる。
【００２６】
また、本発明の電子機器は、「上記筐体にヒンジ接続されその筐体に対して開閉自在な第２の筐体をさらに具備する」という形態であっても良く、さらに、
この形態の電子機器が、「上記第２の筐体は、プログラムを実行する処理回路による処理結果を表示する表示装置である」という形態であっても良い。
【００２７】
これらの形態は、表示装置としての開閉自在な筐体を備えた、例えばノートＰＣに代表されるモバイル性が重視される電子機器に対応している。つまり、本発明によれば、このようなモバイル性が重視される電子機器について、電子機器の大型化や電磁干渉を抑えてアンテナを適切に収納することができる。
【００２８】
以上、説明したように、本発明によれば、アンテナが適切に収納された電子機器を提供することができる。
【図面の簡単な説明】
【００２９】
【図１】本発明の一実施形態であるノート型のパーソナルコンピュータ（ノートＰＣ）の外観図である。
【図２】ノートＰＣのハードウェア構成図である。
【図３】図１に示す本体部２００の裏面を示す図である。
【図４】ＢＴ用アンテナ１７２およびＢＴモジュール１２０の位置が見えるようにパネル等が外された裏面を示す図である。
【図５】ＢＴ用アンテナ１７２取付位置を示す図である。
【図６】図４におけるＢＴモジュール１２０の周辺部を拡大した図である。
【図７】ＢＴモジュール１２０と接続ケーブル１２２とで構成される取付対象パーツの取付方法における第１ステップを示す図である。
【図８】ＢＴモジュール１２０と接続ケーブル１２２とで構成される取付対象パーツの取付方法における第２ステップを示す図である。
【図９】ＢＴモジュール１２０と接続ケーブル１２２とで構成される取付対象パーツの取付方法における第３ステップを示す図である。
【図１０】ＢＴモジュール１２０が収納エリア２０５ｄから飛び出した状態を示す図である。
【発明を実施するための最良の形態】
【００３０】
以下図面を参照して本発明の実施の形態を説明する。【００３１】
図１は、本発明の一実施形態であるノート型のパーソナルコンピュータ（ノートＰＣ）の外観図であり、図２は、そのノートＰＣのハードウェア構成図である。【００３２】
この図１および図２に示すノートＰＣ１００は、ＩＥＥＥ８０２．１１規格等に準拠した無線通信によって構築される無線ＬＡＮ（Ｌｏｃａｌ  Ａｒｅａ  Ｎｅｔｗｏｒｋ）や、Ｂｌｕｅｔｏｏｔｈ（登録商標）の規格等に準拠した無線通信によって構築される無線ＰＡＮ（Ｐｅｒｓｏｎａｌ  Ａｒｅａ  Ｎｅｔｗｏｒｋ）に対応可能となっている。【００３３】
ノートＰＣ１００は、本体部２００と、その本体部２００に対し開閉自在で、このノートＰＣ１００の不使用時には閉じられ使用時には開かれれる蓋部３００とからなる。【００３４】
図１には、このノートＰＣ１００の使用時の状態が示されている。【００３５】
本体部２００は、キーボード２０１、スティックポイント２０２、フラットポイント２０３、内部にスピーカが配備された発音部２０４等が配備された表板２０５ａ、ＣＤ−ＲＯＭが装填されるＣＤ−ＲＯＭ装填口等が配備された側板２０５ｂ、および別図に示す裏板とで形成され内部空間を有する第１の筐体２０５を備えている。そして、本体部２００は、この第１の筐体２０５の内部空間における図中の手前側に、Ｂｌｕｅｔｏｏｔｈ（登録商標）の規格に準拠した無線通信のためのアンテナ（ＢＴ用アンテナ）１７２を後述の位置に内蔵している。【００３６】
また、蓋部３００は、閉じた状態における内側の面に液晶表示画面３０１を有し、本体部２００における第１の筐体２０５に対して開閉自在な第２の筐体３０２を備えている。そして、蓋部３００では、開いた状態の第２の筐体３０２における上部左側の端部および上部右側の端部それぞれに、ＩＥＥＥ８０２．１１規格に準拠した無線通信のための無線ＬＡＮ用アンテナ１７１が内蔵されている。【００３７】
また、図２に示すように、このノートＰＣ１００には、各種プログラムを実行するＣＰＵ１１１、ＣＰＵ１１１で実行されるプログラムが展開されるＲＡＭ１１２、内蔵されたハードディスク１４０をアクセスするハードディスクドライブ１１３、装填されたＣＤ−ＲＯＭ１５０をアクセスするＣＤ−ＲＯＭドライブ１１４、図１にも示すスティックポイント２０２やフラットポイント２０３の操作情報をＣＰＵ１１１に伝えるポイントコントローラ１１５、キーボード２０１の操作情報をＣＰＵ１１１に伝えるキーボードコントローラ１１６、ＣＰＵ１１１の指示に応じて液晶表示画面３０１上への表示を制御するディスプレイコントローラ１１７、ＣＰＵ１１１の指示に応じて、図１の発音部２０４に配置されたスピーカ１６０から音声を出力させるオーディオ部１１８、図１にも示す無線ＬＡＮ用アンテナ１７１を介しての無線通信を司る無線ＬＡＮモジュール１１９、および、図１にも示すＢＴ用アンテナ１７２を介した無線通信を司る通信モジュール（ＢＴモジュール）１２０が備えられており、これらはバス１１０で相互に接続されている。【００３８】
さらに、このノートＰＣ１００は、後述するように着脱自在に取り付けられる電源ブロック（バッテリパック）２０６からの電力や、不図示の電源ケーブルを介して外部から供給される電力を各構成要素に供給する電源供給回路１２１を備えている。【００３９】
以上に説明したノートＰＣ１００の特徴は、Ｂｌｕｅｔｏｏｔｈ（登録商標）の規格に対応した無線システムに係る構成にあり、その特徴は、特に、ＢＴ用アンテナ１７２の取付位置と、ＢＴモジュール１２０の取付方法および取外し方法に現れている。そこで、以下、このＢＴ用アンテナ１７２の取付位置と、ＢＴモジュール１２０の取付方法および取外し方法に注目して説明する。【００４０】
このノートＰＣ１００では、ＢＴ用アンテナ１７２およびＢＴモジュール１２０は、第１の筐体２０５における本体部２００の裏面側に内蔵される。【００４１】
図３は、図１に示す本体部２００の裏面を示す図であり、図４は、ＢＴ用アンテナ１７２およびＢＴモジュール１２０の位置が見えるようにパネル等が外された裏面を示す図である。【００４２】
図３には、第１の筐体２０５において、本体部２００の裏面に相当する裏板２０５ｃに、図２にも示した電源ブロック２０６や、裏面の半分以上を覆う裏面パネル２０５ｃ＿１が取り付けられた状態が示されており、図４には、この電源ブロック２０６と、裏面パネル２０５ｃ＿１とが取外された状態の裏面が示されている。【００４３】
図４では、電源ブロック２０６が取外されて露となった、第１の筐体２０５と一体的に成形された電源収納部２０７が示されている。また、裏面パネル２０５ｃ＿１が外されたことで、各種の回路基板２０８が露となっているが、電源収納部２０７は、これらの回路基板２０８のうちのいずれとも重ならないように配置されている。そして、このノートＰＣ１００では、ＢＴ用アンテナ１７２が、この電源収納部２０７を構成する板壁と、この本体部２００の第１の筐体２０５の側板２０５ｂとの隙間に取り付けられている。このノートＰＣ１００の特徴の一つである、このＢＴ用アンテナ１７２の取付位置については、後で、別図を参照して詳細に説明する。【００４４】
また、このノートＰＣ１００では、ＢＴモジュール１２０の取付位置は、図３に示す裏面パネル２０５ｃ＿１の直下にあり、この裏面パネル２０５ｃ＿１が外されると直ぐにその取付位置にアクセスできるようになっている。裏面パネル２０５ｃ＿１が外されると、図４に示すようにＢＴモジュール１２０の取付位置が見えるようになる。このノートＰＣ１００の特徴の一つである、このＢＴモジュール１２０の取付方法および取外し方法については、後で、別図を参照して詳細に説明する。【００４５】
先ず、ＢＴ用アンテナ１７２の取付位置の詳細について説明する。【００４６】
図５は、ＢＴ用アンテナ１７２の取付位置を示す図である。【００４７】
図５には、図４に示す電源収納部２０７が一体的に成形されている第１の筐体２０５を、電源ブロック２０６が取り付けられる側とは反対の、図１に示す表板２０５ａ側から見た様子が示されている。ただし、この図５では、ＢＴ用アンテナ１７２の取付位置が見えるように、表板２０５ａ等が除かれた状態が示されている。さらに、図５には、電源収納部２０７から外された状態の電源ブロック２０６を、この第１の筐体２０５と同じ方向から見た様子も示されている。【００４８】
電源ブロック２０６の外形は凡そ直方体形のブロック形状を有し、内部に、円柱状のバッテリ（バッテリセル）が、複数個、各円柱状の中心軸がブロック形状における長手方向に揃うように収納される。そして、この電源ブロック２０６は、バッテリに沿った円弧状の外壁面２０６ａを有している。また、電源ブロック２０６には、図５に示されるように、外方向に付勢力を有する２つの係止片２０６ｂがその一辺に離間して設けられている。
電源収納部２０７は、この電源ブロック２０６の形状に応じて、電源ブロック２０６における円弧状の外壁面２０６ａに沿った円弧状の板壁２０７ａを有すると共に、取り付けられた電源ブロック２０６を支える板壁２０７ａにつづく底部を有している。また、電源収納部２０７には、電源ブロック２０６が取り付けられた場合に電源ブロック２０６の各係止片２０６ｂがそれぞれ係止される２つの受け部２０７ｂが設けられており、電源ブロック２０６の離脱防止が実現されている。【００４９】
この円弧状の板壁２０７ａは、第１の筐体２０５における側板２０５ｂに隣接した位置に形成されている。さらに、この板壁２０７ａは、図３にも示す裏板２０５ｃと、図１に示す表板２０５ａとを結ぶ方向について、裏板２０５ｃ側で側板２０５ｂに近接し、表板２０５ａ側で側板２０５ｂから離れる円弧状の形を有している。【００５０】
また、ＢＴ用アンテナ１７２は、表板２０５ａと裏板２０５ｃとを結ぶ方向に延在し板壁２０７ａの円弧の半径長より短い長さの平板状の第１の部分と、その第１の部分の一端部から第１の部分と垂直となる方向に延在しＢＴ用アンテナ１７２を板壁と側板２０５ｂとの隙間に配置したときに電源収納部の底部に位置する平板状の第２の部分と、第１の部分の他端部から第１の部分と垂直且つ第２の部分と反対方向に延在する第３の部分で構成される。【００５１】
この結果、円弧状の板壁２０７ａと側板２０５ｂとの間には、その板壁２０７ａの表面がその円弧状の形に従って側板２０５ｂから徐々に遠ざかることによる余剰空間が存在している。このノートＰＣ１００では、この余剰空間を利用し、かつ、ＢＴ用アンテナ１７２における第３の部分につづく第１の部分の端部を板壁２０７ａの円弧部分上に配置することで、ノートＰＣ１００を大型化等することなく、ＢＴ用アンテナ１７２が収納されている。また、電源ブロック２０６の離脱を防止するために電源ブロック２０６の係止片２０６ｂに対応して電源収納部２０７に設けられている受け部２０７ｂ間に形成される余剰空間を利用し、ノートＰＣ１００を大型化等することなく、ＢＴ用アンテナ１７２が収納されている。【００５２】
また、このノートＰＣ１００では、板壁２０７ａと側板２０５ｂとで前後を挟まれたＢＴ用アンテナ１７２を左右から挟む２枚の仕切り壁２０９が設けられている。これら２枚の仕切り壁２０９により、例えばこのノートＰＣ１００に外部から物理的な衝撃が加わったとしても、その衝撃のＢＴ用アンテナ１７２の周辺部への波及が抑制されるので、その衝撃によるＢＴ用アンテナ１７２の破損等が抑えられる。【００５３】
また、このノートＰＣ１００では、上述したように、電源収納部２０７が各種の回路基板２０８のうちのいずれとも重ならないように配置されている。そして、ＢＴ用アンテナ１７２が、このような電源収納部２０７の板壁２０７ａと側板２０５ｂとの隙間に収納されている。つまり、ＢＴ用アンテナ１７２は、電磁干渉を受け易い回路基板２０８とは離され、電磁干渉を受け難い電源ブロック２０６の近傍に配置される。これにより、このＢＴ用アンテナ１７２で送受信される電波による、回路基板２０８への電磁干渉が抑制される。このように、このノートＰＣ１００では、大型化や電磁干渉を抑えてＢＴ用アンテナ１７２が適切に収納されている。【００５４】
ＢＴ用アンテナ１７２には、このＢＴ用アンテナ１７２を介したＢｌｕｅｔｏｏｔｈ（登録商標）の規格に準拠した無線通信でやり取りされる信号が伝達されるアンテナコード１７２ａが接続されている。そして、このアンテナコード１７２ａがＢＴモジュール１２０におけるＲＦコネクタに接続されることとなる。【００５５】
次に、ＢＴモジュール１２０の取付方法および取外し方法の詳細について説明する。【００５６】
図６は、図４におけるＢＴモジュール１２０の周辺部を拡大した図である。【００５７】
このＢＴモジュール１２０は、ベースとなる基板１２０ａに、Ｂｌｕｅｔｏｏｔｈ（登録商標）の規格に準拠した通信処理を行う回路素子１２０ｂと、このＢＴモジュール１２０の外部に対するインタフェースとなる回路コネクタ１２０ｃと、上記のＢＴ用アンテナ１７２からのアンテナコード１７２ａが接続されるＲＦコネクタ１２０ｄとが搭載されて構成されている。また、回路コネクタ１２０ｃには、このＢＴモジュール１２０を本体部２００に電気的に繋ぐ接続ケーブル１２２が取り付けられている。【００５８】
本体部２００における第１の筐体２０５には、ＢＴモジュール１２０が取り付けられたときに基板１２０ａの面内方向に沿って広がる凹み状の収納エリア２０５ｄが設けられており、ＢＴモジュール１２０はこの収納エリア２０５ｄ内に収まるように取り付けられる。【００５９】
ここで、本実施形態では、ＢＴモジュール１２０に接続ケーブル１２２が取り付けられたものが、取付対象パーツとして本体部２００に取り付けられ、また、必要に応じて取り外される。【００６０】
以下、この取付対象パーツを本体部２００に取り付ける取付方法について説明する。【００６１】
図７は、ＢＴモジュール１２０と接続ケーブル１２２とで構成される取付対象パーツの取付方法における第１ステップを示す図であり、図８は、第２ステップを示す図であり、図９は、第３ステップを示す図である。【００６２】
本体部２００には、このＢＴモジュール１２０と信号をやり取りするための本体側ＢＴ用コネクタ２０８ａ＿１が備えられた通信用の回路基板２０８ａが備えられている。ＢＴモジュール１２０を子基板に相当する第１基板とみなすと、通信用の回路基板２０８ａがその第１基板に対する親基板に相当する第２基板とみなされる。この通信用の回路基板２０８ａは、ＣＰＵ１１１が搭載された回路基板２０８と接続されており、ＢＴモジュール１２０を介した信号のやりとりがＣＰＵ１１１の制御の下で実行される。また、上記の収納エリア２０５ｄは、この通信用の回路基板２０８ａの上に広がるように設けられており、さらに、この収納エリア２０５ｄには、本体側ＢＴ用コネクタ２０８ａ＿１へのアクセス用の孔２０５ｄ＿１が形成されている。【００６３】
第１ステップでは、ＢＴモジュール１２０と接続ケーブル１２２とで構成される取付対象パーツが、以下のように本体側ＢＴ用コネクタ２０８ａ＿１に取り付けられる。【００６４】
接続ケーブル１２２は、複数本の導線が弾力のある被覆材で覆われた短冊形状を有するケーブル本体１２２ａを有し、このケーブル本体１２２ａにおけるＢＴモジュール１２０側とは反対側の端部に、本体部２００の本体側ＢＴ用コネクタ２０８ａ＿１と接続される接続コネクタ１２２ｂが備えられている。第１ステップでは、図７に示すように、接続ケーブル１２２の接続コネクタ１２２ｂが本体部２００の本体側ＢＴ用コネクタ２０８ａ＿１に接続されることで、取付対象パーツが本体側ＢＴ用コネクタ２０８ａ＿１に取り付けられる。【００６５】
次に、第２ステップでは、接続ケーブル１２２のケーブル本体１２２ａが長手方向に弾性的に曲げられ、ＢＴモジュール１２０における接続ケーブル１２２側の端部が収納エリア２０５ｄに収められる。このとき、この収納エリア２０５ｄに収められた端部には、長手方向に曲げられたケーブル本体１２２ａによって、この収納エリア２０５ｄから離れる方向に付勢される。【００６６】
ここで、本実施形態では、図８に示すように、収納エリア２０５ｄの縁のうち、この付勢された端部側の縁には、この端部を押えて収納エリア２０５ｄ内に止めるための第１の支持片２０５ｅが設けられている。この第２ステップでは、ケーブル本体１２２ａが曲げられるとともに、図８に示すように、ＢＴモジュール１２０における接続ケーブル１２２側の端部の一部が、この第１の支持片２０５ｅの下に嵌め込まれる。これにより、ＢＴモジュール１２０は、この端部が収納エリア２０５ｄ内に収められた状態で安定する。【００６７】
続いて、第３ステップでは、ＢＴモジュール１２０における接続ケーブル１２２側の端部とは反対側の端部が収納エリア２０５ｄに収められる。この端部も、ケーブル本体１２２ａによって、この収納エリア２０５ｄから離れる方向に付勢されるが、本実施形態では、図９に示すように、収納エリア２０５ｄの縁のうち、この端部側の縁に、この端部を押えて収納エリア２０５ｄ内に止めるための第２の支持片２０５ｆが設けられている。【００６８】
この第２の支持片２０５ｆは、図９中の矢印Ｄ１が示す方向に力が加わるとその方向に弾性変形によって曲がる片持ち梁２０５ｆ＿１と、その片持ち梁２０５ｆ＿１の先端に一体的に成形されたツメ２０５ｆ＿２とで構成される。また、このツメ２０５ｆ＿２には、ＢＴモジュール１２０が、図８に示す状態から図９中の矢印Ｄ２が示す方向に収納エリア２０５ｄに押し込まれたときにこのＢＴモジュール１２０の端部が接触する部分に、収納エリア２０５ｄ内に向かって下降する勾配が設けられている。この勾配により、ＢＴモジュール１２０が、収納エリア２０５ｄに押し込まれると片持ち梁２０５ｆ＿１に図９中の矢印Ｄ１が示す方向に力が加わり、この片持ち梁２０５ｆ＿１が弾性変形して曲がる。そして、ＢＴモジュール１２０が、そのＢＴモジュール１２０の端部がこのツメ２０５ｆ＿２における勾配の先端を越えるまで押し込まれると片持ち梁２０５ｆ＿１が元の位置に復位する。復位後は、ＢＴモジュール１２０の端部がこのツメ２０５ｆ＿２の下に嵌りこむ形となり、ケーブル本体１２２ａによって付勢されたこの端部が、このツメ２０５ｆ＿２によって押えられて収納エリア２０５ｄ内に止められる。以上で、ＢＴモジュール１２０と接続ケーブル１２２からなる取付対象パーツの取付が終了する。【００６９】
このように、本実施形態では、第１ステップにおいて、接続ケーブル１２２の接続コネクタ１２２ｂを本体部２００の本体側ＢＴ用コネクタ２０８ａ＿１に接続し、第２ステップにおいて、ケーブル本体１２２ａを曲げてＢＴモジュール１２０における接続ケーブル１２２側の端部の一部を第１の支持片２０５ｅの下に嵌め込み、最後に、第３ステップにおいて、ＢＴモジュール１２０における接続ケーブル１２２側の端部とは反対側の端部を収納エリア２０５ｄに押し込むという簡単な３つのステップによって、取付対象パーツが本体部２００に取り付けられる。【００７０】
また、本実施形態では、このように取付対象パーツが本体部２００に取り付けられた後に、ＢＴアンテナ１７２からのアンテナコード１７２ａ（図５参照）が、ＢＴモジュール１２０のＲＦコネクタ１２０ｄに接続される。【００７１】
次に、この取付対象パーツの、本体部２００からの取外し方法について説明する。【００７２】
本実施形態のノートＰＣ１００では、ＢＴモジュール１２０は、故障時に新品と交換する際等に本体部２００から取り外される。【００７３】
その場合には、まず、アンテナコード１７２ａ（図５参照）が、ＢＴモジュール１２０のＲＦコネクタ１２０ｄから外される。その後、図９に示す取付状態における第２の支持片２０５ｆの片持ち梁２０５ｆ＿１が矢印Ｄ１方向に曲げられて、ツメ２０５ｆ＿２がＢＴモジュール１２０の端部から外される。すると、ケーブル本体１２２ａによる付勢により、ＢＴモジュール１２０が収納エリア２０５ｄから飛び出すこととなる。【００７４】
図１０は、ＢＴモジュール１２０が収納エリア２０５ｄから飛び出した状態を示す図である。【００７５】
この図１０では、ＢＴモジュール１２０において第２の支持片２０５ｆで押えられていた端部だけでなく、その端部とは反対側の、接続ケーブル１２２側の端部も第１の支持片２０５ｅの下から飛び出している様子が示されている。第２の支持片２０５ｆにおけるツメ２０５ｆ＿２を動かしただけでは、この接続ケーブル１２２側の端部が図１０のように第１の支持片２０５ｅの下から出ない場合もあるが、その場合には、改めて、この接続ケーブル１２２側の端部が第１の支持片２０５ｅの下から引き出される。【００７６】
この図１０のようにＢＴモジュール１２０が収納エリア２０５から出ると、図７に示すように、接続コネクタ１２２ｂと本体部２００の本体側ＢＴ用コネクタ２０８ａ＿１とが見える位置まで、図１０中の矢印Ｄ３の方向にＢＴモジュール１２０が起こされる。そして、接続コネクタ１２２ｂが本体側ＢＴ用コネクタ２０８ａ＿１から外されて、取付対象パーツの取外しが終了する。【００７７】
以上、説明したように、本実施形態では、ＢＴモジュール１２０と接続ケーブル１２２からなる取付対象パーツの取付および取り外しに、取付用のネジ等といった部品が不要であり、作業の簡略化が図られている。【００７８】
尚、ＢＴモジュール１２０と接続ケーブル１２２からなる取付対象パーツは、本実施形態のノートＰＣ１００だけでなく、他機種のノートＰＣ等への取り付けも想定されたものである。それら他機種のノートＰＣ等では、この取付対象パーツについてネジ止めによる取付にしか対応できない場合が考えられる。そこで、このＢＴモジュール１２０の基板１２０ａには、それらネジ止めにしか対応していない他機種のノートＰＣ等のために、図１０や他の図にも示されているように、本実施形態のノートＰＣ１００では使用されないネジ止め用の貫通孔１２０ａ＿１が３つ設けられている。【００７９】
また、ネジ止め用の貫通孔１２０ａ＿１付のＢＴモジュール１２０とは別の例として、このようなネジ止め用の貫通孔１２０ａ＿１については設けずに、基板上における、それらネジ止めのために要するはずだったスペースに、何らかの回路部品を搭載するという形態も挙げられる。【００８０】
以上、説明したように、本実施形態のノートＰＣ１００では、ＢＴ用アンテナ１７２が、電源収納部２０７の板壁２０７ａが円弧状の形を有していることによる余剰空間を利用して適切に収納されている。また、本実施形態のノートＰＣ１００では、ＢＴモジュール１２０と接続ケーブル１２２からなる取付対象パーツの本体部２００への取付けや取外しに、取付用のネジ等といった部品が不要であり、作業の簡略化が図られている。つまり、本実施形態のノートＰＣ１００では、ＢＴモジュール１２０の取付け及び取外しが容易となっている。【００８１】
尚、上記では、本発明の電子機器の一実施形態としてノートＰＣを例示したが、本発明はこれに限るものではなく、本発明の電子機器は、例えばＰＤＡ等であっても良い。【００８２】
また、上記では、上記の余剰空間に収納されるアンテナの一例として、Ｂｌｕｅｔｏｏｔｈ（登録商標）の規格に準拠した無線通信に使用されるＢＴ用アンテナを例示したが、余剰空間に収納されるアンテナはＢＴ用アンテナに限るものではなく、例えば、ＩＥＥＥ８０２．１１規格に準拠した無線通信のための無線ＬＡＮ用アンテナ等であっても良い。【００８３】
また、上記では、取付けと取外しが行われる取付対象パーツとして、Ｂｌｕｅｔｏｏｔｈ（登録商標）の規格に準拠した無線通信に使用されるＢＴモジュールと接続ケーブルからなるものを例示したが、取付対象パーツはこれに限るものではなく、例えばＩＥＥＥ８０２．１１規格に準拠した無線通信に使用される無線ＬＡＮモジュールや、メモリが搭載された回路基板等であっても良い。
【図１】
2008139547.tif 000003
【図２】
2008139547.tif 000004
【図３】
2008139547.tif 000005
【図４】
2008139547.tif 000006
【図５】
2008139547.tif 000007
【図６】
2008139547.tif 000008
【図７】
2008139547.tif 000009
【図８】
2008139547.tif 000010
【図９】
2008139547.tif 000011
【図１０】
2008139547.tif 000012
【国際調査報告】
2008139547.tif 000013
2008139547.tif 000014
2008139547.tif 000015
2008139547.tif 000016